(57)【要約】【課題】  学校や会社等で使用される様々な大きさ、種類のパネル体や掛け図等を、容易に、起立状に保持することができると共に、所望の高さにセットできるスタンド装置を提供することを目的とする。【解決手段】  鉛直状に平行に立設された２本の外筒体１，１と、夫々の外筒体１，１に伸縮固定自在に内挿された内筒体２，２と、パネル体20の下縁部20ａが載置されると共に外筒体１，１に昇降固定自在として横架された受け台５と、内筒体２，２の上端２ａ，２ａに付設されパネル体20の上縁部20ｂを保持する前倒防止部材６，６と、を備える。また、受け台５は、外筒体１，１が摺動自在に挿通される孔部が形成された水平板部12を有する。さらに、受け台５は、水平板部12に一端が固着されると共に他端が手にて操作自在な押圧部を有する板バネ部材７を備える。板バネ部材７は、外筒体１が挿通されると共に内周端縁部の一部が外筒体１に摩擦力にて停止する係止孔部９を有する。【選択図】  図１
2005173240.tif 000002
【特許請求の範囲】
【請求項１】
パネル体（20）を起立状態に保持するスタンド装置であって、
鉛直状に平行に立設された２本の外筒体（１)(１）と、
夫々の該外筒体（１)(１）に伸縮固定自在に内挿された内筒体（２)(２）と、
上記パネル体（20）の下縁部（20ａ）が載置されると共に上記２本の外筒体（１)(１）に昇降固定自在として横架された受け台（５）と、
上記内筒体（２)(２）の上端（２ａ)(２ａ）に付設され上記パネル体（20）の上縁部（20ｂ）を保持する前倒防止部材（６)(６）と、を備えたことを特徴とするスタンド装置。
【請求項２】
上記受け台（５）は、上記２本の外筒体（１)(１）が摺動自在に挿通される孔部（12ａ)(12ａ）が形成された水平板部（12）を有し、
さらに、上記受け台（５）は、上記水平板部（12）に一端（７Ａ）が固着されると共に他端（７Ｂ）が手にて操作自在な押圧部（17）を有する板バネ部材（７）を備え、
該板バネ部材（７）は、上記外筒体（１）が挿通されると共に内周端縁部の一部が該外筒体（１）に摩擦力にて停止する係止孔部（９）を有し、
上記受け台（５）は上記外筒体（１）に対して無段階位置で停止するよう構成された請求項１記載のスタンド装置。
【請求項３】
上記前倒防止部材（６)(６）は、上記パネル体（20）の上縁部（20ｂ）が係止する下向きに突設された係止部（６ａ)(６ａ）を有する請求項１又は２記載のスタンド装置。
【請求項４】
上記前倒防止部材（６)(６）は、上記パネル体（20）に付設された吊下げ用の紐材（25）を引っ掛ける上向きに突設された引掛片部（６ｂ)(６ｂ）を有する請求項１，２又は３記載のスタンド装置。
【発明の詳細な説明】
【技術分野】
【０００１】
本発明は地図，掲示板，案内ボード等のパネル体や、吊下げ用掛け図，スクリーン等を略鉛直状に保持するスタンド装置に関するものである。
【背景技術】
【０００２】
従来のスタンド装置は、基礎台の上方に立設された２本の起立（鉛直状）パイプ材と、この起立パイプ材に横架された２本の横状パイプ材と、表示用パネル材と、を備え、パネル材が、周囲を起立パイプ材及び横架パイプ材に固定されて、起立状態に保持されるものが知られている（例えば、特許文献１参照）。
【特許文献１】特開平６−３０１３３９号公報
【発明の開示】
【発明が解決しようとする課題】
【０００３】
この従来のスタンド装置は、パネル材の周囲に、起立パイプ材及び横架パイプ材を取り付けて、組み立てなければならず、手間が掛かる。
また、所定の大きさのパネル材のみを起立状に保持するものであり、様々な大きさ、種類のパネル体等をセットすることができない。
また、パネル材が保持される高さが一定であり、スタンド装置を設置する場所や用途に応じて所望の高さに調節できず、不便である。
【０００４】
そこで、本発明は、学校や会社等で使用される様々なパネル体や掛け図等を、容易に、起立状に保持することができると共に、所望の高さに調節してセットできるスタンド装置を提供することを目的とする。
【課題を解決するための手段】
【０００５】
上記の目的を達成するために、本発明に係るスタンド装置は、パネル体を起立状態に保持するスタンド装置であって；鉛直状に平行に立設された２本の外筒体と；夫々の該外筒体に伸縮固定自在に内挿された内筒体と；上記パネル体の下縁部が載置されると共に上記２本の外筒体に昇降固定自在として横架された受け台と；上記内筒体の上端に付設され上記パネル体の上縁部を保持する前倒防止部材と、を備えている。
【０００６】
また、上記受け台は、上記２本の外筒体が摺動自在に挿通される孔部が形成された水平板部を有し；さらに、上記受け台は、上記水平板部に一端が固着されると共に他端が手にて操作自在な押圧部を有する板バネ部材を備え；該板バネ部材は、上記外筒体が挿通されると共に内周端縁部の一部が該外筒体に摩擦力にて停止する係止孔部を有し；上記受け台は上記外筒体に対して無段階位置で停止するよう構成されている。
【０００７】
上記前倒防止部材は、上記パネル体の上縁部が係止する下向きに突設された係止部を有する。
また、上記前倒防止部材は、上記パネル体に付設された吊下げ用の紐材を引っ掛ける上向きに突設された引掛片部を有する。
【発明の効果】
【０００８】
本発明は、次のような著大な効果を奏する。
簡易な構成でありながら、パネル体の上縁部と下縁部を、受け台と前倒防止部材とで固定することができ、パネル体を転倒させることなく、確実に起立状態に保持できる。
そして、簡易な構成でありながら、受け台と、前倒防止部材を、容易に、無段階に昇降させ、位置決めして固定することができるので、パネル体を、所望の高さに、容易かつ迅速にセットすることができる。
しかも、受け台と前倒防止部材の高さ位置を、パネル体の大きさに対応して変化させられるので、様々な大きさのパネル体をセットすることができる。
このように、学校，式場や会社等多くの場所で、様々な大きさ・種類のパネル体を、所望の高さに、起立状態で保持することができる。
【発明を実施するための最良の形態】
【０００９】
以下、実施の形態を示す図面に基づき、本発明を詳説する。
図１〜図５に示すように、スタンド装置10は、パネル体20を起立状態に保持するもので、パネル体20は、学校，会社，式場等で使用される地図，掲示板，案内板や、吊下げ用の紐材25が付設された掛け図，スクリーン等である。
【００１０】
スタンド装置10は、鉛直状に平行に立設された２本の外筒体１，１と、２本の外筒体１，１に伸縮自在に内挿される内筒体２，２と、外筒体１，１の上端１ａに付設され内筒体２，２を伸縮自在・固定に切り換えるための調節部３と、パネル体20の下縁部20ａが載置されると共に２本の外筒体１，１に昇降固定自在として横架された受け台５と、内筒体２，２の上端２ａ，２ａに付設されパネル体20の上縁部20ｂを保持する前倒防止部材６，６と、を備えている。
外筒体１及び内筒体２は、図例では、円筒形状のパイプであるが、所望により多角柱形状のパイプから成るのもよい。
２本の外筒体１，１は、キャスター23…付きの基台部22に立設されており、スタンド装置10は移動自在となる。
【００１１】
上記調節部３は、外筒体１の上端１ａに付設された短筒部材18と、短筒部材18の側壁に形成された雌ネジ孔15に螺合すると共に一端が内筒体２の外周面24を押圧する雄ネジ部14と、雄ネジ部14の他端に付設され螺合させるためのハンドル13と、から成る。
また、受け台５は、２本の外筒体１，１が摺動自在に挿通される孔部12ａ，12ａが形成された水平板部12を、有し、さらに、受け台５は、水平板部12に一端７Ａが固着されると共に他端７Ｂが手にて操作自在な押圧部17を有する板バネ部材７を、備える。
【００１２】
さらに具体的には、受け台５は、側面視略コの字形状であり、２本の外筒体１，１が摺動自在に挿通される孔部11ａ，11ａが形成された補助板部11を、水平板部12の上方に有する。受け台５は、補助板部11と水平板部12により、前後方向に揺動することなく、２本の外筒体１，１に摺動自在となる。
水平板部12の前端辺12ｂは、パネル体20の下縁部20ａが載置される受け溝部16が、形成されている。この受け溝部16は、側面視に於て、上方開口状の倒立略台形形状に形成されたり、あるいは、円弧状や略Ｕ字状に形成される。
【００１３】
板バネ部材７の一端７Ａは、水平板部12の上面に、リベットのかしめや、スポット溶接等により、固着される。
そして、（板バネ部材７の）他端７Ｂは、折曲部８を介して一端７Ａと一体成形されており、通常は、一端７Ａ（及び水平板部12）と鋭角の傾斜をもって保持されている。この他端７Ｂは、手（指）にて下方に押圧されて操作自在な押圧部17を、有する。
【００１４】
また、この他端７Ｂは、外筒体１が挿通されると共に内周端縁部の一部が外筒体１に摩擦力にて停止する係止孔部９を、有する。
係止孔部９の内径は、外筒体１の外径より大きく設定されており、係止孔部９は、他端７Ｂの押圧部17を指で押圧した際に、外筒体１の外周面４と当接せず、挿通された外筒体１に対して上下に摺動自在となる。
このように、受け台５は、押圧部17を指で押圧した際に、外筒体１に対して上下方向に摺動し、かつ、無段階位置で停止することが可能である。
【００１５】
また、内筒体２，２の上端２ａ，２ａに付設された前倒防止部材６，６は、（セットされる）パネル体20の上縁部20ｂが下方から当接する前方へ緩やかに傾斜した板材から成り、前方側には、パネル体20の上縁部20ｂが係止する係止部６ａ，６ａが、下向きに突設されている。
さらに、前倒防止部材６，６は、前方側に、パネル体20の紐材25が外れないように引っ掛けられる引掛片部６ｂ，６ｂが、上向きに突設されている。つまり、この前倒防止部材６は、側面から見て、Ｖ字状上面を有し、紐材25がＶ字状上面の最下点に係止する。
【００１６】
次に、上述のスタンド装置10の使用方法について説明する。
図１〜図３に於て、２つの調節部３，３のハンドル13，13を緩めて、内筒体２，２が外筒体１，１の上端１ａ，１ａから（上方へ）伸縮自在となる状態にしておき、パネル体20の下縁部20ａを受け台５の受け溝部16に載置すると共に、パネル体20の上縁部20ｂに、前倒防止部材６，６を、（下降させて）上方から当接させる。
このとき、受け台５の２つの板バネ部材７，７の他端７Ｂ，７Ｂは、水平面から鋭角の傾斜をもって保持されており、他端７Ｂ，７Ｂの係止孔部９，９の内周端縁部の一部が、外筒体１，１の外周面４，４に摩擦力によって係止している（図３（イ）参照）。
【００１７】
次に、上記他端７Ｂ，７Ｂの押圧部17，17を、手（指）で押さえ、係止孔部９，９の内周端縁部と外筒体１，１との係止を外す（図３（ロ）参照）。
そして、押圧部17，17を押圧した状態で受け台５を、所望の高さ位置に上昇させ───このとき、前倒防止部材６，６も共に上昇する───手（指）を放して、（図３（イ）に於て上述したように、）外筒体１，１に係止させる。
そして、２つの調節部３，３のハンドル13，13を締めつけて、パネル体20を、前倒防止部材６，６と、受け台５とにより、上方と下方から固定する。
【００１８】
あるいは、このスタンド装置10で、吊下げ用の紐材25が付設された掛け図等のパネル体20を、起立状態に保持したい場合、調節部３，３を操作して、前倒防止部材６，６を所望の高さに調節して固定し、図４，図５に示すように、紐材25を前倒防止部材６，６の引掛片部６ｂ，６ｂに掛ける。
そして、受け台５の板バネ部材７，７の押圧部17，17を押圧して、受け台５を上昇させ、受け台５の受け溝部16にパネル体20の下縁部20ａが載置したら、押圧部17，17から手を放して受け台５を固定する。
【００１９】
なお、図示省略するが、スタンド装置10は上述の形態に限定されず設計変更自在であり、受け台５に於て、補助板部11，11に板バネ部材７，７が付設されてもよい。
また、パネル体20の下縁部20ａが載置される受け溝部16が、補助板部11の前端辺に付設されてもよい。
【００２０】
以上のように、本発明のスタンド装置は、パネル体20を起立状態に保持するスタンド装置であって、鉛直状に平行に立設された２本の外筒体１，１と、夫々の外筒体１，１に伸縮固定自在に内挿された内筒体２，２と、パネル体20の下縁部20ａが載置されると共に２本の外筒体１，１に昇降固定自在として横架された受け台５と、内筒体２，２の上端２ａ，２ａに付設されパネル体20の上縁部20ｂを保持する前倒防止部材６，６と、を備えているので、パネル体20の上縁部20ｂと下縁部20ａを、受け台５と前倒防止部材６，６とで固定することができ、パネル体20を転倒させることなく、確実に起立状態に保持できる。
そして、簡易な構成でありながら、受け台５と、前倒防止部材６，６を、容易に、無段階に昇降させ、位置決めして固定することができるので、パネル体20を、所望の高さに、容易かつ迅速にセットすることができる。
しかも、受け台５と前倒防止部材６，６の高さ位置を、パネル体20の大きさに対応して変化させられるので、様々な大きさのパネル体20をセットすることができる。
このように、学校，式場や会社等多くの場所で、様々な大きさ，種類のパネル体20を、所望の高さに、起立状態で保持することができる。
【００２１】
また、受け台５は、２本の外筒体１，１が摺動自在に挿通される孔部12ａ，12ａが形成された水平板部12を有し、さらに、受け台５は、水平板部12に一端７Ａが固着されると共に他端７Ｂが手にて操作自在な押圧部17を有する板バネ部材７を備え、板バネ部材７は、外筒体１が挿通されると共に内周端縁部の一部が外筒体１に摩擦力にて停止する係止孔部９を有し、受け台５は外筒体１に対して無段階位置で停止するよう構成されているので、板バネ部材７の押圧部17を押す操作を行うだけで、容易に、受け台５を所望の高さに昇降させることができ、また、強固かつ確実に係止（固定）することができる。
このように、簡素な構造でありながら、高さの無段階調節を容易に行い得て、作業の効率が良い。
【００２２】
また、前倒防止部材６，６は、パネル体20の上縁部20ｂが係止する下向きに突設された係止部６ａ，６ａを有するので、パネル体20が前方側に倒れることなく、確実に、起立状態に保持される。
【００２３】
さらに、前倒防止部材６，６は、パネル体20に付設された吊下げ用の紐材25を引っ掛ける上向きに突設された引掛片部６ｂ，６ｂを有するので、吊下げ用の紐材25が外れることがなく、パネル体20が前方側に倒れずに、確実に、起立状態に保持される。
【図面の簡単な説明】
【００２４】
【図１】本発明に係るスタンド装置の実施の一形態を示す斜視図である。
【図２】一部断面側面図である。
【図３】一部断面要部正面図である。
【図４】パネル体を起立状態に保持する他の方法を示す斜視図である。
【図５】要部側面図である。
【符号の説明】
【００２５】
１  外筒体
２  内筒体
２ａ  上端
５  受け台
６  前倒防止部材
６ａ  係止部
６ｂ  引掛片部
７  板バネ部材
７Ａ  一端
７Ｂ  他端
９  係止孔部
12  水平板部
12ａ  孔部
17  押圧部
20  パネル体
20ａ  下縁部
20ｂ  上縁部
25  紐材
【図１】
2005173240.tif 000003
【図２】
2005173240.tif 000004
【図３】
2005173240.tif 000005
【図４】
2005173240.tif 000006
【図５】
2005173240.tif 000007